(57)【特許請求の範囲】
【請求項１】
室外機及び室内機を有する空気調和機と、
一又は複数の室内に配置され前記室内機と双方向の通信が可能な複数のリモコンと、
を備え、
前記各リモコンは、それぞれ自己の周囲の室温を検知する室温検知手段と、当該リモコンの操作情報の入力を可能とする操作部とを有するとともに、前記操作部を介して操作情報が入力されたときに少なくとも前記室温検知手段により検知された室温及び当該操作情報を前記室内機へ送信し、
前記室内機は、リモコン操作されたリモコンから前記室温及び前記操作情報を受信したときは、当該リモコンが前記複数のリモコンのいずれであるかにかかわらず、かつ、当該操作情報の内容が設定温度の調整であるか否かにかかわらず、常に、当該室温を制御対象として当該室温を用いて運転中において温調制御を行う制御部を有することを特徴とする空気調和機システム。
【請求項２】
前記各リモコンは、それぞれ表示部を有し、
前記制御部は、リモコン操作されたリモコンから前記室温及び前記操作情報を受信した後、いずれのリモコンの室温検知手段による室温が選択されて温調制御が行われているのかを示す室温検知手段選択情報を通信により前記各リモコンへ送信し、
前記各リモコンは、前記制御部から前記室温検知手段選択情報を受信した後、受信した前記室温検知手段選択情報をもとに、自己の室温検知手段による室温が選択されて温度制御に用いられている場合は、その旨を表す内容を前記表示部に表示し、自己の室温検知手段による室温が選択されていない場合は、前記表示部を非表示とし、または前記室温検知手段による室温が選択されて温調制御に用いられている他のリモコンを特定する内容を前記表示部に表示することを特徴とする請求項１に記載の空気調和機システム。
【請求項３】
室外機及び室内機を有する空気調和機と、
一又は複数の室内に配置され前記室内機と双方向の通信が可能な複数のリモコンと、
を備え、
前記各リモコンは、それぞれ自己の周囲の室温を検知する室温検知手段と、当該リモコンの操作情報の入力を可能とする操作部とを有するとともに、前記操作部を介して操作情報が入力されたときに少なくとも前記室温検知手段により検知された室温及び当該操作情報を前記室内機へ送信し、
前記室内機は、リモコン操作されたリモコンから前記室温及び前記操作情報を受信したときは、当該リモコンが前記複数のリモコンのいずれであるかにかかわらず、かつ、当該操作情報の内容が設定温度の調整であるか否かにかかわらず、常に、当該リモコン操作されたリモコンからの室温及び他のすべてのリモコンの室温検知手段により検知され通信により取得した室温を用いて、前記リモコン操作されたリモコンからの室温の重み付けを最も大きくした加重平均としての制御温度を算出し、当該制御温度を制御対象として当該制御温度を用いて運転中において温調制御を行う制御部を有する
ことを特徴とする空気調和機システム。
【請求項４】
前記制御部は、前記制御温度を算出する際に、前記操作情報の内容に応じて前記重み付けの大きさを設定することを特徴とする請求項３に記載の空気調和機システム。
【請求項５】
前記制御部は、前記制御温度を算出する際に、規定時間内における前記リモコン操作されたリモコンの操作回数に応じて前記重み付けの大きさを設定することを特徴とする請求項３又は４に記載の空気調和機システム。
【請求項６】
前記各リモコンは、それぞれ表示部を有し、
前記制御部は、リモコン操作されたリモコンから前記室温及び前記操作情報を受信した後、どのリモコンの室温検知手段による室温がどのくらいの重み付けで前記制御温度が算出されているのかを示す重み付け情報を通信により前記各リモコンへ送信し、
前記各リモコンは、それぞれ、前記制御部から前記重み付け情報を受信した後、前記重み付け情報を前記表示部にて表示することを特徴とする請求項３から５のいずれか１項に記載の空気調和機システム。
【請求項７】
前記空気調和機は、前記室外機から供給される温水又は冷水を用いて暖房又は冷房を行う給湯暖房機であることを特徴とする請求項１から６のいずれか１項に記載の空気調和機システム。
【請求項８】
前記空気調和機は、前記室外機から供給される冷媒を用いて暖房又は冷房を行うものであることを特徴とする請求項１から６のいずれか１項に記載の空気調和機システム。
【発明の詳細な説明】
【技術分野】
【０００１】
本発明は、同一空間あるいは複数空間を空調対象とする空気調和機システムに関する。
【背景技術】
【０００２】
従来の空気調和機システムでは、周囲の空間の温度を測定する温度センサ及びユーザの操作により暑い又は寒いことを申告する申告手段を備えた複合センサと、申告手段による申告がなされた複合センサの温度センサによる測定温度等に基づいて空調設備を制御する制御手段とを備えたものがある（例えば、特許文献１参照。）。この構成では、ユーザが申告手段を操作することによりユーザのいる空間の室温（申告箇所温度）に基づいて温調制御がなされる。
【０００３】
また、従来の空気調和機システムでは、スケジュール設定や手動設定により温調制御に用いる室温センサ及び設定温度を切り換えるものがある（例えば、特許文献２参照。）。
【先行技術文献】
【特許文献】
【０００４】
【特許文献１】特開２００８−４５７７９号公報
【特許文献２】特開２００４−２７９０００号公報
【発明の概要】
【発明が解決しようとする課題】
【０００５】
しかしながら、特許文献１に記載の空気調和機システムでは、ユーザのいる空間の室温を直接的な温調制御対象とすることができるものの、申告手段の操作などセンサ設定操作が必要となり、ユーザが意識してセンサ設定を変更する必要があるため、センサ設定を変更せずに設定温度を変更した場合は、ユーザのいる空間の温度が直接的な温調制御対象とならず、快適性及び省エネ性が低下するという問題があった。
【０００６】
また、特許文献２に記載の空気調和機システムでは、スケジュール設定により温調制御に用いる室温センサ及び設定温度を切り替えているが、実際にはユーザのいない空間の室温をもとに温調制御していることがあるため、実際にユーザがいる空間の温度が設定温度よりも上がりすぎてしまったり、あるいは逆に下がりすぎてしまったりすることがあり、快適性及び省エネ性が低下するという問題があった。
【０００７】
この発明は、上記に鑑みてなされたもので、ユーザのいる空間の快適性を向上させることができ、かつ、省エネ性にも優れた空気調和機システムを提供することを目的とする。
【課題を解決するための手段】
【０００８】
上述した課題を解決し、目的を達成するために、本発明に係る空気調和機システムは、室外機及び室内機を有する空気調和機と、一又は複数の室内に配置され前記室内機と双方向の通信が可能な複数のリモコンと、を備え、前記各リモコンは、それぞれ自己の周囲の室温を検知する室温検知手段と、当該リモコンの操作情報の入力を可能とする操作部とを有するとともに、前記操作部を介して操作情報が入力されたときに少なくとも前記室温検知手段により検知された室温及び当該操作情報を前記室内機へ送信し、前記室内機は、リモコン操作されたリモコンから前記室温及び前記操作情報を受信したときは、当該リモコンが前記複数のリモコンのいずれであるかにかかわらず、かつ、当該操作情報の内容が設定温度の調整であるか否かにかかわらず、常に、当該室温を制御対象として当該室温を用いて運転中において温調制御を行う制御部を有することを特徴とする。
【発明の効果】
【０００９】
この発明によれば、ユーザのいる空間の快適性を向上させることができ、かつ、省エネ性にも優れた空気調和機システムを提供することができる。
【図面の簡単な説明】
【００１０】
【図１】図１は、実施の形態１に係る空気調和機システムの配置構成の一例を示す図である。
【図２】図２は、実施の形態１に係る空気調和機システムの機能ブロック図である。
【図３】図３は、室温検知手段（温度センサ）選択の動作イメージを示す図である。
【発明を実施するための形態】
【００１１】
以下に、本発明に係る空気調和機システムの実施の形態を図面に基づいて詳細に説明する。なお、この実施の形態によりこの発明が限定されるものではない。
【００１２】
実施の形態１．
図１は、本実施の形態に係る空気調和機システムの配置構成の一例を示す図である。図１に示すように、この空気調和機システムは、例えば複数の室から構成された家屋４０に設置されている。家屋４０は、例えば三つの室を備えており、具体的には、リビングダイニング５０、寝室５１、及び洋室５２を備えている。
【００１３】
屋外には、空気調和機の室外機３が設置されている。屋内には、空気調和機の室内機４が設置され、室内機４は室外機３と接続されている。リビングダイニング５０内には、暖房設備として例えば床暖房６が配置され、この床暖房６は水配管を介して室内機４及び室外機３と接続されている。さらに、リビングダイニング５０内には、ワイヤードリモコン１及びワイヤレスリモコン２が配置されている。ワイヤードリモコン１は、室内機４と有線で接続されており、室内機４との間で双方向の通信可能である。ワイヤレスリモコン２は、室内機４との間で双方向の無線通信可能である。寝室５１内には、暖房設備として例えばラジエータ暖房５が配置され、このラジエータ暖房５は水配管を介して室内機４及び室外機３と接続されている。さらに、寝室５１内には、ワイヤレスリモコン２が配置されている。このワイヤレスリモコン２は、室内機４との間で双方向の無線通信可能である。洋室５２内には、暖房設備として例えばラジエータ暖房５が配置され、このラジエータ暖房５は水配管を介して室内機４及び室外機３と接続されている。さらに、洋室５２内には、ワイヤレスリモコン２が配置されている。このワイヤレスリモコン２は、室内機４との間で双方向の無線通信可能である。
【００１４】
このように、本実施の形態では、空気調和機システムは、複数空間（複数の室）を空調対象としており、各空間内には、室内機４と通信可能な一又は複数個のリモコン（リモートコントローラ）が配置されている。リモコンは、有線又は無線のいずれでもよい。なお、本実施の形態は、単一の室（同一空間）を空調対象とする場合にも適用可能であり、この場合は、単一の室内に複数個のリモコンを配置すればよい。
【００１５】
また、本実施の形態では、空気調和機システムは、一例として、熱源機（室外機３）から水配管を介して供給される温水又は冷水によって暖房又は冷房を行う給湯暖房システムについて記載しているが、これに限定されず、熱源機から供給される冷媒により冷暖房を行うシステムであってもよい。
【００１６】
図２は、本実施の形態に係る空気調和機システムの機能ブロック図である。室内機４は、ワイヤードリモコン１及び各ワイヤレスリモコン２との通信を行う通信部４０２と、ワイヤードリモコン１及び各ワイヤレスリモコン２から送信された室温データ等をもとに温調制御を行う制御部４０１とを備えている。
【００１７】
ワイヤードリモコン１は、自己の周囲の室温を検知するための室温検知手段１０３（温度センサ）と、ユーザが各種設定操作を行い操作情報の入力を可能とする操作部１０２と、設定情報や運転情報等を表示するための表示部１０１と、室内機４との通信を行う通信部１０４とを備えている。
【００１８】
ワイヤレスリモコン２は、それぞれ、自己の周囲の室温を検知するための室温検知手段２０３（温度センサ）と、ユーザが各種設定操作を行い操作情報の入力を可能とする操作部２０２と、設定情報や運転情報等を表示するための表示部２０１と、室内機４との通信を行う通信部２０４とを備えている。
【００１９】
次に、本実施の形態の動作について説明する。ワイヤードリモコン１は、ユーザにより操作部１０２を介して操作情報が入力されたときに、少なくとも自己の室温検知手段１０３により検知された室温及び操作部１０２によりユーザ操作された操作情報を、リモコン通信により室内機４へ送信する。なお、このリモコン通信は、通信部１０４を介して行われる。また、各ワイヤレスリモコン２は、ユーザにより操作部２０２を介して操作情報が入力されたときに、少なくとも自己の室温検知手段２０３により検知された室温及び操作部２０２によりユーザ操作された操作情報を、リモコン通信により室内機４へ送信する。なお、このリモコン通信は、通信部２０４を介して行われる。
【００２０】
例えば、寝室５１内に存在するユーザが寝室５１内のワイヤレスリモコン２を操作しその設定温度を変更した場合は、ワイヤレスリモコン２は、寝室５１内の室温及び変更された設定温度に関する操作情報を室内機４へ送信する。なお、ユーザ操作は設温操作に限らず何らかのリモコン操作とすることができる。
【００２１】
また、例えば、リビングダイニング５０内に存在するユーザがワイヤードリモコン１を操作しその設定温度を変更した場合は、ワイヤードリモコン１は、リビングダイニング５０内におけるワイヤードリモコン１の周囲の室温及び変更された設定温度に関する操作情報を室内機４へ送信する。なお、ユーザ操作は設温操作に限らず何らかのリモコン操作とすることができる。その他のワイヤレスリモコン２についても同様である。
【００２２】
室内機４の制御部４０１は、ワイヤードリモコン１又はワイヤレスリモコン２から送信された室温及び操作情報を受信し、これらがいずれのリモコンから送信されたものであるのかを特定することができる。ここで、制御部４０１は、受信データに含まれる送信元情報から送信元がいずれのリモコンであるかを特定することができる。なお、制御部４０１は、通信部４０２を介して受信データを受信する。
【００２３】
次に、制御部４０１は、受信データに含まれる室温を用いて当該室温のみを制御対象として温調制御を行う。すなわち、制御部４０１は、ユーザ操作のあったリモコンの室温検知手段による検知室温を使用して温調制御を行い、当該リモコンの存在する室内の室温が設定温度に近づくように制御する。例えば、寝室５１内に存在するユーザが寝室５１内のワイヤレスリモコン２を操作しその設定温度を変更した場合は、制御部４０１は、寝室５１内のワイヤレスリモコン２により検知された室温を使用して温調制御を行う。制御部４０１は、ユーザによる他のリモコン操作が発生しない限り、このような温調制御を例えば一定時間継続する。なお、このときの設定温度は、ユーザ操作が設温調整である場合はリモコンから操作情報として当然に送信されるが、ユーザ操作が設温調整以外の場合は例えばリモコンから室温及び操作情報とともに送信されるようにしてもよいし、既に設定温度の情報を受信して保持している場合はその設定温度を用いるようにしてもよい。
【００２４】
更に、制御部４０１は、いずれのリモコンの室温検知手段による検知室温が選択されて温調制御が行われているのかを示す室温検知手段選択情報をリモコン通信によりすべてのリモコン（ワイヤードリモコン１及び各ワイヤレスリモコン２）へ送信する。
【００２５】
ワイヤードリモコン１は、受信した室温検知手段選択情報をもとに、自己の検知室温が選択されて温調制御に用いられている場合は、その旨を表す内容を表示部１０１に表示し、自己の検知室温が選択されていない場合は、非表示とすることができる。つまり、ワイヤードリモコン１は、自己の検知室温が選択されて温調制御に用いられている場合は、室温検知手段選択情報を表示部１０１に表示し、自己の検知室温が選択されていない場合は、非表示とすることができる。なお、この場合において、非表示とする代わりに、その室温検知手段による検知室温が選択されて温調制御に用いられている他のリモコンを特定する内容、すなわち、室温検知手段選択情報を表示するようにしてもよい。同様に、各ワイヤレスリモコン２は、受信した室温検知手段選択情報をもとに、自己の室温が選択されて温調制御に用いられている場合は、その旨を表す内容を表示部２０１に表示し、自己の室温が選択されていない場合は、非表示とすることができる。つまり、各ワイヤレスリモコン２は、自己の室温が選択されて温調制御に用いられている場合は、室温検知手段選択情報を表示部２０１に表示し、自己の室温が選択されていない場合は、非表示とすることができる。なお、この場合において、非表示とする代わりに、その室温検知手段による検知室温が選択されて温調制御に用いられている他のリモコンを特定する内容、すなわち、室温検知手段選択情報を表示するようにしてもよい。
【００２６】
図３は、室温検知手段（温度センサ）選択の動作イメージを示す図である。図３において、「スケジュールのみの場合」は、どのリモコンの室温検知手段（温度センサ）による検知室温が選択されて温調制御に用いられるのかが予めスケジュールにより決められている場合を表している（例えば、特許文献２参照。）。具体的には、０：００〜７：００間は、寝室５１内のワイヤレスリモコン２の室温検知手段２０３による検知室温が選択されて温調制御に用いられ、７：００〜２１：００間は、リビングダイニング５０内の例えばワイヤードリモコン１の室温検知手段１０３による検知室温が選択されて温調制御に用いられ、２１：００〜２４：００間は、寝室５１内のワイヤレスリモコン２の室温検知手段２０３による検知室温が選択されて温調制御に用いられる。
【００２７】
また、「手動によりセンサ設定変更した場合」は、上記のようにスケジュール設定された状況下で、ユーザが特定のリモコン操作を実行することにより、制御部４０１にて温調制御に用いられる室温が当該リモコンの室温検知手段（温度センサ）による検知室温に設定されるように手動でセンサ選択情報（室温検知手段選択情報）を設定する場合を表している（例えば、特許文献２参照。）。具体的には、７：００〜２１：００間は、スケジュールによれば、リビングダイニング５０内のワイヤードリモコン１の室温検知手段１０３による検知室温が選択されていたところ、手動により設定変更されたことにより、１５：００〜２１：００間は、洋室５２内のワイヤレスリモコン２の室温検知手段２０３による検知室温が選択されて温調制御に用いられる。
【００２８】
次に、「ユーザ操作（例えば設温変更など）した場合」は、本実施の形態の動作に対応するものであり、１５：００〜２１：００間は、上記の手動設定により、洋室５２内のワイヤレスリモコン２の室温検知手段２０３による検知室温が選択されていたところ、１９：００に寝室５１内に在室したユーザが寝室５１内のワイヤレスリモコン２を操作（例えば設温変更など）したため、制御部４０１は、１９：００〜２１：００間は、寝室５１内のワイヤレスリモコン２により検知された室温を使用して温調制御を行うことを表している。
【００２９】
このようにして、リモコン操作されたときは、常に、ユーザが確実にいる空間にあるリモコンの検知室温を使用して温調制御を行うことにより、ユーザの快適性を向上させることが可能となる。また、ユーザが意識しなくてもその検知室温が温調制御に使用される室温検知手段が切り替わるため、複雑な設定作業が不要となり操作性が向上するとともに、設定変更忘れによる無駄な昇温等がなくなるため、消費電力を低減でき省エネとなる。
【００３０】
これに対し、例えば特許文献１に記載の空気調和機システムでは、ユーザのいる空間の室温を温調制御の対象とするためには、ユーザは申告手段の操作なども含めてこの目的のための特定のセンサ設定操作が必要となり、ユーザが意識してセンサ設定を変更する必要がある。そのため、センサ設定を変更せずに設定温度を変更した場合は、ユーザのいる空間の温度が直接的な温調制御の対象とならず、必要以上に室温が上昇するなど快適性及び省エネ性が低下するという問題があった。
【００３１】
実施の形態２．
実施の形態１では、制御部４０１は、ユーザ操作のあったリモコンの室温検知手段による検知室温を使用して温調制御を行っている。本実施の形態では、制御部４０１は、ユーザ操作のあったリモコンの室温検知手段による検知室温のみならず、他のリモコンの室温検知手段による検知室温も温調制御に用いるが、ユーザ操作のあったリモコンの室温検知手段による検知室温に対しては他のリモコンの室温検知手段による検知室温よりも大きな重み付けをして制御温度を算出し、この制御温度を使用して温調制御を行う。以下、具体例を用いて説明する。なお、本実施の形態の構成は、図１及び図２に示す実施の形態１の構成と同じであるので、構成の説明は省略する。
【００３２】
例えば、寝室５１内に存在するユーザがワイヤレスリモコン２を操作した場合は、ワイヤレスリモコン２は、寝室５１内の室温及び操作情報を室内機４へ送信する。制御部４０１は、これらの室温及び操作情報を受信し、これらが寝室５１内のワイヤレスリモコン２から送信されたものであることを認識する。
【００３３】
次に、制御部４０１は、ユーザ操作のなされた寝室５１内の室温（Ｔ１）、洋室５２内のワイヤレスリモコン２の室温検知手段２０３による室温（Ｔ２）、リビングダイニング５０内のワイヤードリモコン１の室温検知手段１０３による室温（Ｔ３）、及びリビングダイニング５０内のワイヤレスリモコン２の室温検知手段２０３による室温（Ｔ４）を用いて、例えば加重平均により、制御温度Ｔ＝ａ１・Ｔ１＋ａ２・Ｔ２＋ａ３・Ｔ３＋ａ４・Ｔ４を算出する。ここで、ａ１〜ａ４は重み付けの定数であり、ａ１＞ａ２，ａ３，ａ４、かつ、ａ１＋ａ２＋ａ３＋ａ４＝１を満たす。すなわち、ユーザ操作のなされた寝室５１内の室温Ｔ１の重み付けを他のリモコンによる検知室温に対する重み付けよりも大きくする。
【００３４】
ａ１〜ａ４は例えば予め設定した値を用いることができる。なお、ａ１〜ａ４を、ユーザの操作情報の内容（例えば、設定温度、運転モード、風速等）に応じて設定することもできる。例えば、ユーザが設定温度を操作した場合は、他の操作を行った場合よりもａ１をより大きく設定することができる。また、ａ１〜ａ４を、予め設定された規定時間内のユーザの操作の回数に応じて設定することもできる。例えば、規定時間内に、同じ室内の同じリモコンから複数回のリモコン操作があった場合は、操作回数が増加するにつれて、ａ１をより大きく設定することができる。
【００３５】
また、室温Ｔ２〜Ｔ４については、例えば各リモコンから室内機４へ定期的にリモコン通信で送信させるようにし、直近に受信した値を用いるようにしてもよいし、あるいは、制御部４０１が各リモコンに対して室温Ｔ２〜Ｔ４を送信するように指令し、各リモコンから返信された最新の値を用いるようにしてもよい。
【００３６】
さらに、制御部４０１は、ユーザ操作のなされた寝室５１内のワイヤレスリモコン２の設定温度（Ｔｓ１）、洋室５２内のワイヤレスリモコン２の設定温度（Ｔｓ２）、リビングダイニング５０内のワイヤードリモコン１の設定温度（Ｔｓ３）、及びリビングダイニング５０内のワイヤレスリモコン２の設定温度（Ｔｓ４）を用いて、設定温度Ｔｓ＝ａ１・Ｔｓ１＋ａ２・Ｔｓ２＋ａ３・Ｔｓ３＋ａ４・Ｔｓ４を算出する。設定温度Ｔｓ１〜Ｔｓ４については、リモコンから制御部４０１へ既に送信されている場合はその値を用いることができるし、あるいは、制御部４０１が各リモコンに対して設定温度Ｔｓ１〜Ｔｓ４を送信するように指令し、各リモコンから送信された設定値を用いるようにしてもよい。
【００３７】
制御部４０１は、制御温度Ｔが設定温度Ｔｓに近づくように温調制御を行う。制御部４０１は、ユーザによる他のリモコン操作が発生しない限り、このような温調制御を例えば一定時間継続する。
【００３８】
更に、制御部４０１は、どのリモコンの室温検知手段による室温がどのくらいの重み付けで制御温度が算出されて温調制御しているのかを示す重み付け情報をリモコン通信によりすべてのリモコン（ワイヤードリモコン１及び各ワイヤレスリモコン２）へ送信する。ワイヤードリモコン１は、受信した重み付け情報を表示部１０１にて表示する。同様に、各ワイヤレスリモコン２は、受信した重み付け情報を表示部２０１にて表示する。
【００３９】
このように、リモコン操作されたときは、常に、ユーザ操作があったリモコンの検知室温を重み付けして制御温度を算出し温調制御を行うことで、ユーザが確実にいる空間にあるリモコンの検知室温の寄与を大きくして温調制御を行うことにより、ユーザの快適性を向上させることが可能となる。また、ユーザが意識しなくてもユーザが操作したリモコンの室温検知手段による検知室温が重み付けされて温調制御に使用されるので、複雑な設定作業が不要となり操作性が向上するとともに、設定変更忘れによる無駄な昇温等がなくなるため、消費電力を低減でき省エネとなる。
【産業上の利用可能性】
【００４０】
本発明は、空気調和機システムとして好適である。
【符号の説明】
【００４１】
１  ワイヤードリモコン
２  ワイヤレスリモコン
３  室外機
４  室内機
５  ラジエータ暖房
６  床暖房
４０  家屋
５０  リビングダイニング
５１  寝室
５２  洋室
１０１，２０１  表示部
１０２，２０２  操作部
１０３，２０３  室温検知手段
１０４，２０４，４０２  通信部
４０１  制御部
【図１】
0006005980.tif 000002
【図２】
0006005980.tif 000003
【図３】
0006005980.tif 000004